(57)【要約】【課題】主杆先端に対するヘッジトリマーの装着作業を、作業の巧拙なく簡単に確実にでき、ヘッジトリマーが円滑に動作して、その性能を存分に発揮できるようにした便利な刈込み装置を提供する。【解決手段】ケース３に基部を固定した案内板４と、該案内板４に支持され、差動的に往復動して切断作用をなす一対の可動刃５ａ、５ｂを備えたヘッジトリマー１において、前記ケース３上に可動刃５ａ、５ｂに駆動力を伝達する接続部材１３を枢支し、該接続部材１３に刈払機の主杆１０先端に突出する出力軸１２を結合し、また、ケース後方に突設した支持腕２０に、主杆先端部に取巻き状に固定した連結ブロック２１を介して主杆１０を固定した。【選択図】　　　　図１
0003098272.tif 000002
【実用新案登録請求の範囲】
【請求項１】
ケースに基部を固定した案内板と、該案内板に支持され、差動的に往復動して切断作用をなす一対の可動刃を備えたヘッジトリマーにおいて、前記ケース上に可動刃に駆動力を伝達する接続部材を枢支し、該接続部材に刈払機の主杆先端に突出する出力軸を結合し、また、ケース後方に突設した支持腕に、主杆先端部に取巻き状に固定した連結ブロックを介して主杆を固定したことを特徴とする刈込み装置。
【請求項２】
連結ブロックは、上下方向に２分割構成とし、両分割ブロックの接合面に断面半円状の凹溝を形成し、両分割ブロックが重合状態で凹溝内に主杆を挟持して固定されることを特徴とする請求項１記載の刈込み装置。
【請求項３】
連結ブロックの片側に支持面を設け、該支持面を支持腕後端部に形成した垂直支持面に当接させ、該垂直支持面に向けて貫設した長孔に複数本の固定ねじを挿通して連結ブロックをねじ止めしたことを特徴とする請求項１又は２記載の刈込み装置。
【請求項４】
ケース及び連結ブロックをダイカスト製にしたことを特徴とする請求項１〜３のいずれか１項に記載の刈込み装置。
【考案の詳細な説明】
【０００１】
【考案の属する技術分野】
本考案は刈込み装置に関するものであり、さらに詳しくは、芝草等の刈払い作業はもとより、生垣の刈込みや草刈りおよび樹木の剪定作業等にも使用できる汎用性のある刈込み装置に関するものである。
【０００２】
【従来の技術】
従来より生垣の刈込みや樹木の剪定等には、バリカン形式のヘッジトリマーが使用されている。このヘッジトリマーは、原動機側に基部を固定した案内板に、櫛状を呈する切刃を設けた上下一対の可動刃を支持させ、両方の可動刃を差動的に往復動させて切断作用をなすものである。
【０００３】
一方、芝草等の刈払いに使用される刈払機は、手で支持される主杆の基部にエンジン等の原動機が装着され、主杆先端に設けたギヤケースから下向きに突出した出力軸に回転刃を装着し、ギヤケースのフランジに回転刃を覆うカバーを取り付けたものが使用されている。この刈払機による刈払作業では、作業者が主杆を手に持ってカバーおよびギヤケースを地面から適宜の高さに離した状態で、高速回転する回転刃を地面と垂直な軸心回りに回転駆動させて芝草等の刈払りを行うものである。
【０００４】
前記するように従来のヘッジトリマーと刈払機は、用途に応じて専用機を使い分けていたものであるが、ヘッジトリマーと刈払機を兼用する刈込み装置も提案されている。（例えば、特許文献１参照。）。
【０００５】
この刈込み装置では、櫛状を呈する切刃を設けた一対の可動刃を差動的に往復動させて使用するヘッジトリマーと、高速回転する回転刃を使用する刈払機を兼用するために、ヘッジトリマーの基部には、可動刃に動力を伝達する接続部材が回動自在に枢支されていて、これに刈払機の主杆先端に突出する出力軸を結合し、主杆とヘッジトリマーの一体化を図るために、案内板後端から斜め上方に延長状に屈曲させた案内板基部に、一対の把持片を対向して立設し、両把持片間に、主杆の先端部が係合する溝と固定ボルト孔を有する一対の把持ブロックを対向的に配設し、主杆先端部を両方の把持片間に入れた状態で、両方の把持片に設けた長孔から対向的に挿通した固定ボルトを把持ブロックに設けた固定ボルト孔に螺合させて主杆先端部を一対の把持片間に把持して固定するものである。
【０００６】
【特許文献１】
特開平８−１７２９０９号公報。
【０００７】
【考案が解決しようとする課題】
ところが、前記する構成の刈込み装置で、ヘッジトリマーを使用する場合に、主杆先端にヘッジトリマーを装着する作業手順としては、先ず、ヘッジトリマーの基部に枢支された接続部材に、刈払機の主杆先端に突出する出力軸を結合した後に、案内板基部に立設された一対の把持片間に配設した一対の把持ブロックによって主杆先端部を把持して固定するために、出力軸を接続部材に結合する間は、一対の把持片間にあって一対の把持ブロックは、その固定ボルトが緩められた状態にあり、主杆は両方の把持ブロック間で何の支えもなく、宙に浮いた状態で出力軸と接続部材の結合作業は行われる。
【０００８】
従って、出力軸を接続部材に結合した後で、把持片の両側から複数本（具体的には４本）の固定ボルトを対向的に締め付けていって、主杆先端部を一対の把持ブロックの対向面に設けた溝に係合させて固定する場合、複数本の固定ボルトの締め付けは、作業者の手加減に頼ってて行われるので、一旦、出力軸を接続部材に確かり結合した後で、複数本の固定ボルトの締め付けで、主杆先端部を把持する把持ブロックを左右方向又は上下方向に振らして行われる主杆の固定は、必ずしも、最適固定位置に一致するとは限らず、作業者の勘に頼る４本の固定ボルトの締め付け具合によっては、最適固定位置からずれていたり、主杆が周方向に僅かに捻れを生じて固定されたり、主杆側から接続部材に対し押圧力を掛けるような固定になったりすると、作業時に出力軸が軸心振れ生じて振動の発生原因になり、また、円滑な動力の伝達ができなくなって作業能率を低下させるようなことがおきる。
【０００９】
そこで、本考案は、主杆先端に対するヘッジトリマーの装着作業を、作業の巧拙なく簡単に確実にできるようにし、ヘッジトリマーが円滑に動作して、その性能を存分に発揮できるようにした便利な刈込み装置を提供するとを目的としたものである。
【００１０】
【課題を解決するための手段】
上記の目的を達成するために、本考案に係る刈込み装置は、ケースに基部を固定した案内板と、該案内板に支持され、差動的に往復動して切断作用をなす一対の可動刃を備えたヘッジトリマーにおいて、前記ケース上に可動刃に駆動力を伝達する接続部材を枢支し、該接続部材に刈払機の主杆先端に突出する出力軸を結合し、また、ケース後方に突設した支持腕に、主杆先端部に取巻き状に固定した連結ブロックを介して主杆を固定したことを特徴とする。
【００１１】
ここで、前記接続部材に対する出力軸の結合に当たっては、特に、構造的な制約はなく、例えば、出力軸が雄ねじ構造の場合には、接続部材の中心部に、この出力軸が螺合する雌ねじ部を設けて脱着自在に結合する。
【００１２】
この構成によれば、主杆先端にヘッジトリマーを装着するには、ヘッジトリマーの接続部材に、主杆先端の出力軸を結合するのに先だって、主杆先端部に連結ブロックを仮止めして、接続部材に出力軸を当てがい、この状態で連結ブロックをケース後方に突設した支持腕後端部に仮止めする。こうして、接続部材を回転させて出力軸と螺合させる過程で、主杆のふらつきがなく安定し、出力軸と接続部材の結合作業は、無難に簡単にできる。次いで、主杆とヘッジトリマーとの全体的なバランスを採りながら、主杆に対する連結ブロックの本締めと、支持腕に対する連結ブロックの本締めをすれば、支持腕に対して主杆先端部は最適位置に固定されることになる。こうして、ヘッジトリマーの装着作業には、作業の巧拙がなく確実にでき、回転バランスが採れて円滑に動作するヘッジトリマーが提供できる。
【００１３】
前記構成において、連結ブロックは、上下方向に２分割構成とし、両分割ブロックの接合面に断面半円状の凹溝を形成し、両分割ブロックが重合状態で凹溝内に主杆を挟持して固定される構成にすると、連結ブロックは、凹溝の両側で、上位ブロックから下位ブロックに向けて螺着する複数本の固定ねじを使用して凹溝に主杆を挟持させることができるので、連結ブロックを主杆に取巻き状に取り付ける作業をし易くする。つまり、主杆に対する連結ブロックの仮止め及び本締め作業をし易くする。
【００１４】
前記構成において、連結ブロックの片側に支持面を設け、該支持面を支持腕後端部に形成した垂直支持面に当接させ、該垂直支持面に向けて貫設した長孔に複数本の固定ねじを挿通して連結ブロックをねじ止めした構成にすると、支持腕に対する連結ブロックの固定には、普通、２本あればよいので、この２本の固定ねじを使用して支持腕に対して連結ブロックを固定する作業にしても煩雑なものではなく、連結ブロックの仮止め及び本締め作業をし易くする。
【００１５】
前記構成において、ケース及び連結ブロックをダイカスト製ににすると、ケースの堅牢性が向上するとともに、ケース後方に突設した支持腕も形態的な安定性が向上し、デザイン的にもケースと連結ブロックの一体化が図られて高品質のヘッジトリマーが提供できる。
【００１６】
【考案の実施の形態】
以下、本発明の実施の形態の一例を、図面に基づいて説明する。
【００１７】
図１は本考案に係る刈込み装置に適用されるヘッジトリマーの斜視図、図２は本考案に係る刈込み装置の要部の平面図、図３は図２のＡ−Ａ線におけるヘッジトリマーの断面図、図４は図２のＢ−Ｂ線におけるヘッジトリマーの断面図である。
【００１８】
各図において、ヘッジトリマー１の刃部２は、ケース３内に基部を固定した案内板４に対し、櫛状を呈する切刃を設けた一対の可動刃５ａ，５ｂを配装したもので、両可動刃５ａ，５ｂの複数個所に長手方向に穿設された長孔６と、この長孔６に対応して案内板４に穿設した孔７に取付けボルト８を挿通してナット９止めしている。
【００１９】
ヘッジトリマー１が装着される刈払機の主杆１０は、先端にギヤケース１１が設けられ、このギヤケース１１に支持された出力軸１２を突出させている。本来的には、この出力軸１２には刈払作業に使用する回転刃が取着されるものである。
【００２０】
主杆１０先端にヘッジトリマー１を装着し、出力軸１２から可動刃５ａ，５ｂに駆動力を伝達するために、ケース３上に出力軸１２と結合する接続部材１３を枢支している。実施の形態では、出力軸１２を雄ねじ構造とし、この出力軸１２が螺合する雌ねじ部１４を接続部材１３の中心部に設けている。
【００２１】
接続部材１３の回転運動を可動刃５ａ，５ｂのストローク運動に変換するために、接続部材１３はピニオンギヤ１５を装備している。このピニオンギヤ１５をケース３に軸支した大径ギヤ１６に噛合させて減速を図り、また、大径ギヤ１６と同一軸１７に、上下して一対の円盤状の偏心カム１８ａ，１８ｂを形成し、その上位の偏心カム１８ａを一方の可動刃５ａの基端とリンク１９ａを介して連結し、下位の偏心カム１８ｂを他方の可動刃５ｂの基端とリンク１９ｂを介して連結し、接続部材１３が回転して大径ギヤ１６が回転すると、一対の可動刃５ａ，５ｂはリンク１９ａ，１９ｂを介して差動的に往復動して切断作用をなすようにしている。
【００２２】
出力軸１２と接続部材１３とを結合するとともに、主杆１０とヘッジトリマー１との一体化を図るために、ケース３後方に支持腕２０を突設し、この支持腕２０後部側面に、主杆１０先端部に取巻き状に固定される連結ブロック２１を固定する垂直支持面２２を形成している。
【００２３】
連結ブロック２１は、上位ブロック２１ａと下位ブロック２１ｂからなる２分割構成とし、両ブロックの接合面に断面半円状の凹溝２３を形成し、両ブロック２１ａ，２１ｂが重合状態で凹溝２３内に主杆１０を挟持するようにしたもので、凹溝２３の両側で、上位ブロック２１ａから下位ブロック２１ｂに向けて複数本の固定ねじ２４を螺着して主杆１０先端部に取巻き状に固定するようにしている。
【００２４】
また、前記支持腕２０後部に形成した垂直支持面２２に連結ブロック２１を固定するために、連結ブロック２１の片側に支持面２５を設けて垂直支持面２２に当接させ、支持腕２０には、垂直支持面２２に向けて長孔２６を貫設し、この長孔２６に複数本の固定ねじ２７を横向きに挿通して連結ブロック２１を固定するようにしている。ここで連結ブロック２１の固定に使用する固定ねじ２７は、２本あればよいので、実施の形態では、連結ブロック２１の両端部寄りの所に２本の固定ねじ２７を配して固定するようにしている。
【００２５】
上記構成において、主杆１０先端にヘッジトリマー１を装着する要領を説明する。
【００２６】
連結ブロック２１を主杆１０先端部に取巻き状に仮止めし、主杆１０先端に突出する出力軸１２の先端を接続部材１３の雌ねじ部１４に当てがい、連結ブロック２１の支持面２５を支持腕２０の垂直支持面２２に当接させ、長孔２６に挿通した２本の固定ねじ２７で連結ブロック２１を垂直支持面２２に仮止めする。
【００２７】
この状態で接続部材１３を回転させると、出力軸１２が接続部材１３の雌ねじ部１４へ螺合を開始する。螺合が進むにつれて支持腕２０の垂直支持面２２に仮止めされた連結ブロック２１の位置関係も微妙に変わるが、主杆１０はふらつきがなく安定していて無理のない螺合が行われ、出力軸１２と接続部材１３が確かり結合される。なお、この際の接続部材１３の回転には、接続部材１３の外周面に穿設した操作用孔２８に六角スパナ（図示せず）を係合して回転させるようにすると、出力軸１２と雌ねじ部１４との螺合は軽い力でスムーズにできる。
【００２８】
こうして出力軸１２と接続部材１３の結合作業が終わると、主杆１０とヘッジトリマー１との全体的なバランスを採りながら、仮止め状態にある支持腕２０に対する連結ブロック２１の位置関係等で無理な力等が掛かっていない状態にあることを確認し、主杆１０に対する連結ブロック２１の本締めと、支持腕２０に対する連結ブロック２１の本締めをして使用に供する。
【００２９】
【考案の効果】
本考案は、以上説明したような形態で実施され、本考案によれば、主杆の先端部に取巻き状に仮止めした連結ブロックをヘッジトリマー側に仮止めし、この状態で主杆先端の出力軸とヘッジトリマーの接続部材を結合し、この後で仮止めを本締めするので、主杆先端に対するヘッジトリマーの装着作業に当たって、主杆のふらつきがなく安定し、ヘッジトリマーの装着作業は、作業の巧拙がなく確実にできる。従って、回転バランスが採れて円滑に動作するヘッジトリマーを提供することができる。
【図面の簡単な説明】
【図１】本考案に係る刈込み装置に適用されるヘッジトリマーの斜視図である。
【図２】本考案に係る刈込み装置の要部の平面図である。
【図３】図２のＡ−Ａ線におけるヘッジトリマーの断面図である。
【図４】図２のＢ−Ｂ線におけるヘッジトリマーの断面図である。
【符号の説明】
１　ヘッジトリマー
２　刃部
３　ケース
４　案内板
５ａ　可動刃
５ｂ　可動刃
６　長孔
７　孔
８　ボルト
９　ナット
１０　主杆
１１　ギヤケース
１２　出力軸
１３　接続部材
１４　雌ねじ部
１５　ピニオンギヤ
１６　大径ギヤ
１７　大径ギヤ軸
１８ａ　偏心カム
１８ｂ　偏心カム
１９ａ　リンク
１９ｂ　リンク
２０　支持腕
２１　連結ブロック
２１ａ　上位ブロック
２１ｂ　下位ブロック
２２　垂直支持面
２３　凹溝
２４　固定ねじ
２５　支持面
２６　長孔
２７　固定ねじ
２８　操作用孔
【図１】
0003098272.tif 000003
【図２】
0003098272.tif 000004
【図３】
0003098272.tif 000005
【図４】
0003098272.tif 000006